(57)【要約】      （修正有）【課題】フィルタを介して息をするので息苦しく、またウィルスがフィルタを通ってマスク内に入り込むという従来のマスクの課題を解決した、除菌率１００％のマスクを実現する。【解決手段】マスク１０は、用紙を中間部で２分し、それぞれの側にヒモ取付部１６を有し、用紙の裏側にはウイルスを殺菌するための殺菌剤を塗布する。マスク１０を頭に保持するためのヒモ１１は、ヒモ取付部１６に取り付けられている。マスク１０にはフィルタがなく、自由に呼吸することができ、息をするときに苦しくない。ウィルスはマスク１０に付着するか、あるいは下に落ちるので、マスクの装着者までは飛んで行かない。【選択図】図１４
2015136500.tif 000002
【特許請求の範囲】
【請求項１】
口，鼻の正面に空気遮断体を設け、前記遮断体の下から直接外気と呼吸し、発声することを特徴とする完全防菌発声マスク。
【発明の詳細な説明】
【技術分野】
【０００１】
本発明は従来のものより異なる原理に基づいて発明したマスクに関する。
【背景技術】
【０００２】
マスクは風邪ウイルスの予防や空気中の汚れを除去するために、近年よく使用されるようになってきている。
【０００３】
従来のマスクは風邪のウイルスを除去するために、不織布を用いて極めて小さい粒子の通過を除去するようになってきている（特許文献１，特許文献２）。
【先行技術文献】
【特許文献】
【０００４】
【特許文献１】特開２００５−２９８７４号公報
【特許文献２】特開２０１０−２０１１４０号公報
【発明の概要】
【発明が解決しようとする課題】
【０００５】
従来のマスクは風邪ウイルスを通過させないようにするため、不織布等のウイルスを通さないフィルタの役目をする布を用いていた。しかしながら、この種のマスクはフィルタを介して息をするものであり、息苦しいという問題があった。更に、このフィルタも１００％ウイルスを阻止することができるものではなく、ウイルスがマスクを通ってマスク内に入り込むという問題があった。
【０００６】
図１はＡとＢとが対話している状態を示す図である。Ａはマスクをしておらず、Ｂはマスク１を使用している。この場合は、マスク１をしているＢに口を開いているＡのつばき２がマスク１にかかり、その一部はマスク１のフィルタを透過してＢの口にまで届いてしまう。ここで、３はマスク１を耳にかけるためのマスク用ヒモである。
【０００７】
図２はマスクをしている人が声を出す時の状態を示す図である。この人はマスク１をしている。この人が発声すると（図の７）、その一部がフィルタから漏れて外に出ることがある。この時、つばき６も一緒に飛散する。従って、従来のマスクではウイルスの侵入を１００％除去することは不可能である。
図３はPM２．５に対するマスクの使用状態を示している。マスク１をしていても、フィルタの膜を通してPM２．５を吸いこんでしまう。
【０００８】
本発明はこのような課題に鑑みてなされたものであって、効果的にウイルス等を１００％除去することができ、また息も苦しくない全く新規なマスクを提供することを目的としている。
【課題を解決するための手段】
【０００９】
前記した課題を解決する本発明は、口，鼻の正面に空気遮断体を設け、前記遮断体の下から直接外気と呼吸し、発声することを特徴とする。
【発明の効果】
【００１０】
本発明によれば、フィルタを通して空気を吸うものではなく、従って呼吸するのに苦しくはなく、ウイルス等を１００％除菌する効果を有するマスクを実現すことができる。
【図面の簡単な説明】
【００１１】
【図１】公知の会話状態を示す図
【図２】人が公知のマスクをかけている状態を示す図
【図３】PM２．５の吸い込み状態を示す図
【図４】本発明を装着した実施例１の側面図
【図５】本発明を装着した実施例１の正面図
【図６】本発明を装着した実施例１の上面図
【図７】本発明の第１の実施例の平面図
【図８】本発明の側面図
【図９】ヒモの取り付け状態を示す図
【図１０】本発明の効果１の説明図
【図１１】本発明の効果２の説明図
【図１２】本発明の効果３の説明図
【図１３】本発明の効果４の説明図
【図１４】本発明の第２の実施例を示す図
【図１５】本発明の第３の実施例を示す図
【図１６】本発明の第４の実施例を示す図
【図１７】本発明の第５の実施例を示す図
【図１８】本発明の第６の実施例を示す図
【図１９】本発明の第７の実施例を示す図
【発明を実施するための形態】
【００１２】
以下、図面を参照して本発明の実施例を詳細に説明する。
図４乃至図６は本発明の一実施例を示す図で、図４が本発明を装着した側面図、図５が本発明を装着した正面図、図６が本発明を装着した上面図である。これら図面において、１０は鼻１４に沿って接着しているマスクである。ここでは、マスク１０の材料としては例えば紙又は用紙が用いられる。素材が紙であるので、当然にウイルスやPM２．５は通さない。以下、用紙をマスクと称することにする。
【００１３】
１１はマスク１０を鼻１４に押圧して耳１５に巻回させて固定するためのヒモである。ヒモ１１としては、例えば輪ゴムが好適に用いられる。１６はヒモ１１をマスク１０に取り付けるためのヒモ取付部である。１７はマスク１０の中央に形成された折り目である。この折り目をつけることにより、マスク１０を顔の前面にわたり、押圧して固定することができる。
【００１４】
図において、１０がマスク本体である。このマスク本体１０は、従来のマスクと異なり、立っている。図に示すマスクにはフィルタがないので、自由に呼吸をすることができ、息をする時に苦しくなることはない。即ち、全く通常の息をすることができる。
【００１５】
図６はこの時のマスク取付状態を頭上から見た図である。図において、４１は頭、１４は鼻、１５は耳である。図に示すように、マスク１０は鼻１４を中心にして折り目（図５の１７参照）がつけられる。その状態で、ヒモで耳１５に引っ掛ける。これで、マスクをつけた状態になる。図６を見ると明らかなように、顔の部分とマスク１０の間に隙間ができる。この隙間を利用して、人は楽に呼吸することができる。人の呼吸により鼻の上方からは暖められた空気が吐き出されるので、この隙間を利用して空気が逆流して入ってくることはない。
【００１６】
図７は本発明の第１実施例の平面図である。図において、１０はマスク、１７は該マスク１１の真ん中に形成された折り目、１１はマスク１０を頭に保持するためのヒモ、１６はヒモ１１を結わえるために、マスク１０の上端部に設けられたヒモ取付部である。通常、ヒモ取付部１６はマスク１０の上部端部に設けられており、ヒモをマスク１０に固定するためのものである。
【００１７】
図８は図７に示す発明の側面図である。マスク１０を折り目１７を中心として内側に曲げれば、顔の面にぴったりくっつくようになる。この状態でヒモ１１を耳にかけると本発明に係るマスクが完成する。
【００１８】
図９は本発明のヒモの取り付けの説明図である。図において１０はマスク、１１はヒモ、１６はヒモ取付部である。ここで、ヒモ１１として輪ゴムを用いれば、ヒモ取付部１６はマスクの用紙に穴をあけるだけですむ。ゴムの輪が通ればよいものであるからである。
【００１９】
図１０は本発明の効果１の例を示す図である。AとB二人が会話をしている。この場合において、Bが本発明に係るマスク１０を付けていると、Aからの音声は図の矢印方向のルートでAの耳に到達する。本発明の場合は、マスクを通して音声を伝えるのではなく、空気を介してAに到達するので、声がこもらず、相手方Aは声を聞き取り易くなる。
【００２０】
図１１は本発明の効果２の例を示す図である。一方の方（ここではB）が風邪をひいている場合について説明する。Bから風のウイルスが飛び散っても、ウイルスはマスク１０に付着するか、あるいは下に落ちるので、Aまでは飛んで行かない。従って、相手に風邪をうつすことはない。
【００２１】
図１２は本発明の効果３の例を示す図である。この場合は、風邪にかかったAがマスクをしているBにウイルスを飛ばす場合について説明する。Aからウイルスが飛んでも、そのウイルスはマスク１０に当たって、このマスク１０の上に付着するか下に落ちる。この結果、BはAからの風邪ウイルスが飛んできても、風邪がうつらない。
【００２２】
図１３は本発明の効果４の説明図である。空気中にPM２．５が含まれている場合について説明する。PM２．５の大きさはマイクロオーダであるが、マスク１０のために、マスク１０の上に付着するか、下方に矢印で示すように落下するので、人がPM２．５を吸いこむことはない。
【００２３】
図１４は本発明の第２の実施例を示す図で、マスク裏面の構成を示している。゛図７と同一のものは、同一の符号を付して示す。この図において、４０はマスク１０の裏面の底面部に沿って形成された除菌剤塗布部である。この除菌剤塗布部４０は、ウイルス菌等の殺傷能力があるものを塗布して形成される。例えば、塩素系のものが好適に用いられる。なお、使用する除菌剤に関しては、皮膚が炎症をおこさないものが用いられることは当然であ。具体的には、除菌剤塗布部４０は除菌剤を塗布した後、コーティングすれば好ましい。
【００２４】
例えば除菌剤塗布部４０に顆粒状のものを貼り付けておき、この顆粒が空気中の二酸化炭素と反応して二酸化塩素（ClO２）が発生し、ウイルス菌を殺してしまう。その他の除菌剤としては、コモスイ除菌剤やビエリモ除菌剤がある。コモスイ除菌剤は、人体に影響を与えず、除菌しながら消臭も行うものであり、好ましい。ビエリモ除菌剤はインフルエンザ等のウイルスの不活化に効果がある。
【００２５】
図１５は本発明の第２の実施例の動作図である。予め、マスクの内側にばい菌を殺菌する殺菌コーティングしておくか、その都度殺菌スプレーをしておけば、口から出るばい菌は除菌し、他人に迷惑をかけることがなくなる。図１５において、３０は殺菌コーティング、３２は口から出てくるばい菌、３１は殺菌コーティング３０に付着して死滅したばい菌である。
【００２６】
図１６は本発明の第３の実施例を示す図である。図に示すように、マスク内側にCO２をClCO２にする顆粒３０を付ける。これにより、吐く息のCO２がClO２になり、CO２がなくなるので、地球温暖化を防止し環境をよくするマスクである。
【００２７】
図１７は本発明の第４の実施例を示す図である。選挙等のチラシに用いて、好適な例を示している。図ではAとBの２種類を示している。Aは候補者の顔３３と氏名を書く領域と、候補者の政策を述べる領域から構成されている。即ち、３４は候補者の名前を書く領域、３５はキャッチコピーからなる。
Bは候補者の政策を書く領域３６とプロフィルを書く領域３７からなる。３８は表面に貼らる証書貼り部である。この実施例では、用紙としてA４のコート紙を用いている。
【００２８】
図１８は実際に本発明のマスクをつけた状態を示す図である。マスク１０の表面に候補者の氏名が記載されている。このようなマスクを付けている人は、人の注目を集めるので、マスク表面に書かれた候補者の氏名は、強く人の記憶に残り、宣伝効果が大なるものがある。
【００２９】
図１９は本発明の第５の実施例を示す図である。図において、４２は通常のマスク形状をした本発明に係るマスク、このままでは、息ができないので、マスク４２の中央部に呼吸口４３を設けたものである。なお、図では透過図で示している。通常のマスク形状のマスク４２は、鼻から口を多い、外部からのPM２．５やウイルスを完全にシャットアウトするので、このマスクをつけた人が息ができるように呼吸口４３を設けたものである。
【００３０】
上述の実施例では、本発明マスクとしてビラ等に用いられる用紙を用いた場合を例にとったが、本発明はこれに限るものではなく、その他の材料を用いることができる。例えばプラスチックや軟質の樹脂を用いることが可能である。
【産業上の利用可能性】
【００３１】
本発明は、マスクをする必要がある時、例えば中国で猛威をふるっているＰＭ２．５による影響から身をまもるために好適であり、更に風邪やインフルエンザから身をまもるためには特に必要であり、息苦しくなくてかつ１００％病原菌から身をまもることができるので非常に有益である。
【符号の説明】
【００３２】
１    公知のマスク
２    つばき
３  マスク用ヒモ
６    つばき
７    音声
１０  本発明マスク
１１  マスク用ヒモ
１４  鼻
１５  耳
１６  ヒモ取付部
１７  折り目
３０  顆粒
３１  死滅したばい菌
３２  ばい菌
３３  候補者の顔
３４  候補者の名前を書く領域
３５  キャッチコピー
３７  証紙添付場所
４０  除菌剤塗布部
４１  頭
４２  通常のマスク形状をした本発明に係るマスク
４３  呼吸口
【図１】
2015136500.tif 000003
【図２】
2015136500.tif 000004
【図３】
2015136500.tif 000005
【図４】
2015136500.tif 000006
【図５】
2015136500.tif 000007
【図６】
2015136500.tif 000008
【図７】
2015136500.tif 000009
【図８】
2015136500.tif 000010
【図９】
2015136500.tif 000011
【図１０】
2015136500.tif 000012
【図１１】
2015136500.tif 000013
【図１２】
2015136500.tif 000014
【図１３】
2015136500.tif 000015
【図１４】
2015136500.tif 000016
【図１５】
2015136500.tif 000017
【図１６】
2015136500.tif 000018
【図１７】
2015136500.tif 000019
【図１８】
2015136500.tif 000020
【図１９】
2015136500.tif 000021